(57)【要約】【課題】  電話帳に登録されているユーザ情報の中から、現在位置に近接して在住するユーザのユーザ情報を、「市」や「町」等の細かな単位で検索してリスト表示する。【解決手段】  各ユーザの電話番号及び郵便番号等のユーザ情報が記憶された電話帳と、地理的な各位置に対応する市外局番、市内局番や郵便番号等の地域情報が記憶された地域情報テーブルをメモリに記憶しておく。そして、当該携帯電話機の現在位置に対応する市外局番、市内局番及び（又は）郵便番号を地域情報テーブルから検索し、この地域情報テーブルから検索された市外局番、市内局番及び（又は）郵便番号を有するユーザを電話帳から検索し、これをリスト化して表示する。これにより、市外局番、市内局番及び（又は）郵便番号に基づく、地理的に中規模或いは小規模の範囲に在住するユーザをリスト化して表示することができる。【選択図】  図４
2006262332.tif 000002
【特許請求の範囲】
【請求項１】
地理的な範囲に対してそれぞれ割り当てられている地域情報が、該各地理的範囲毎に記憶された地域情報記憶手段から、所定の位置に対応する地域情報を検索する地域情報検索手段としてコンピュータを機能させ、
各ユーザ毎に関連する上記地域情報を含むユーザ情報が記憶されたユーザ情報記憶手段から、コンピュータを上記地域情報検索手段として機能させることで検索された上記地域情報に対応するユーザ情報を有するユーザを検索し、この検索されたユーザのリストである近隣ユーザリストを作成して出力する近隣ユーザリスト作成手段としてコンピュータを機能させること
を特徴とする近隣ユーザリスト作成プログラム。
【請求項２】
請求項１に記載の近隣ユーザリスト作成プログラムであって、
現在位置を検出するように現在位置検出手段を制御する現在位置検出制御手段としてコンピュータを機能させ、
上記地域情報検索手段としてコンピュータを機能させる際に、上記現在位置検出手段で検出された現在位置に対応する地域情報を検索する上記地域情報検索手段としてコンピュータを機能させること
を特徴とする近隣ユーザリスト作成プログラム。
【請求項３】
請求項１又は請求項２に記載の近隣ユーザリスト作成プログラムであって、
上記地域情報検索手段としてコンピュータを機能させる際に、入力手段を介して入力された位置に対応する地域情報を検索する上記地域情報検索手段としてコンピュータを機能させること
を特徴とする近隣ユーザリスト作成プログラム。
【請求項４】
請求項１から請求項３のうち、いずれか一項に記載の近隣ユーザリスト作成プログラムであって、
上記地域情報記憶手段には、上記地域情報として電話番号、及び／又は、郵便番号が記憶されており、
コンピュータを上記地域情報検索手段として機能させる際に、上記所定の位置に対応する電話番号、及び／又は、郵便番号を検索する上記地域情報検索手段としてコンピュータを機能させ、
上記ユーザ情報記憶手段には、上記ユーザ情報として、上記地域情報に対応する電話番号、及び／又は、郵便番号が記憶されており、
コンピュータを上記近隣ユーザリスト作成手段として機能させる際に、コンピュータを上記地域情報検索手段として機能させることで検索された上記電話番号、及び／又は、郵便番号に対応する電話番号、及び／又は、郵便番号を有するユーザを上記ユーザ情報記憶手段から検索し、この検索されたユーザのリストである近隣ユーザリストを作成して出力する上記近隣ユーザリスト作成手段としてコンピュータを機能させること
を特徴とする近隣ユーザリスト作成プログラム。
【請求項５】
地理的な範囲に対してそれぞれ割り当てられている地域情報が、該各地理的範囲毎に記憶された地域情報記憶手段と、
各ユーザ毎に関連する上記地域情報を含むユーザ情報が記憶されたユーザ情報記憶手段と、
所定の位置に対応する地域情報を上記地域情報記憶手段から検索する地域情報検索手段と、
上記地域情報検索手段で検索された上記地域情報に基づいて上記ユーザ情報記憶手段を検索することで、該地域情報に対応するユーザ情報を有するユーザを検索し、この検索されたユーザのリストである近隣ユーザリストを作成する近隣ユーザリスト作成手段と、
上記近隣ユーザリスト作成手段で作成された近隣ユーザリストを表示手段に表示する表示制御手段と
を有する携帯端末装置。
【請求項６】
請求項５に記載の携帯端末装置であって、
現在位置を検出する現在位置検出手段を有し、
上記地域情報検索手段は、上記現在位置検出手段で検出された現在位置に対応する地域情報を上記地域情報記憶手段から検索すること
を特徴とする携帯端末装置。
【請求項７】
請求項５又は請求項６に記載の携帯端末装置であって、
上記地域情報検索手段は、入力手段を介して入力された位置に対応する地域情報を上記地域情報記憶手段から検索すること
を特徴とする携帯端末装置。
【請求項８】
請求項５から請求項７のうち、いずれか一項に記載の携帯端末装置であって、
上記地域情報記憶手段には、上記地域情報として電話番号、及び／又は、郵便番号が記憶されており、
上記地域情報検索手段は、上記所定の位置に対応する電話番号、及び／又は、郵便番号を検索し、
上記ユーザ情報記憶手段には、上記ユーザ情報として、上記地域情報に対応する電話番号、及び／又は、郵便番号が記憶されており、
上記近隣ユーザリスト作成手段は、上記地域情報検索手段により検索された上記電話番号、及び／又は、郵便番号に対応する電話番号、及び／又は、郵便番号を有するユーザを上記ユーザ情報記憶手段から検索し、この検索されたユーザのリストである近隣ユーザリストを作成すること
を特徴とする携帯端末装置。
【請求項９】
地理的な範囲に対してそれぞれ割り当てられている地域情報が、該各地理的範囲毎に記憶された地域情報記憶手段から、地域情報検索手段が、所定の位置に対応する地域情報を検索するステップと、
各ユーザ毎に関連する上記地域情報を含むユーザ情報が記憶されたユーザ情報が記憶されたユーザ情報記憶手段から、近隣ユーザリスト作成手段が、上記ステップにおいて上記地域情報検索手段で検索された上記地域情報に対応するユーザ情報を有するユーザを検索し、この検索されたユーザのリストである近隣ユーザリストを作成して出力するステップと
を有する近隣ユーザリスト作成方法。
【発明の詳細な説明】
【技術分野】
【０００１】
本発明は、携帯電話機、ＰＨＳ電話機（Personal Handyphone System）、無線通信機能を有するＰＤＡ装置（Personal Digital Assistant）、無線通信機能を有するノート型のパーソナルコンピュータ装置等の携帯端末装置に適用して好適な近隣ユーザリスト作成プログラム、携帯端末装置及び近隣ユーザリスト作成方法に関する。
【背景技術】
【０００２】
今日における携帯電話機のサービスの一つとして、国際ローミングサービスが知られている。この国際ローミングサービスに対応している通信事業者と契約したユーザは、複数の国や地域において、上記契約した通信事業者が提携している提携事業者により提供される通信サービスを受けることが可能となっている。
【０００３】
一方、携帯電話機は、友人や知人となるユーザの氏名や名称等と共に、該各ユーザの電話番号や電子メールアドレス等を管理する電話帳機能を有している。この電話帳機能は、各ユーザの電話番号や電子メールアドレス等を、該各ユーザの氏名や名称等の五十音順で管理して表示するようになっている。このため、所望の発信先を検索する場合、ユーザは、この五十音順の表示順序を利用して所望の発信先を検索している。
【０００４】
ここで、国際ローミングサービスに対応する携帯電話機を渡航先で使用する際に、該渡航先に在住するユーザの電話番号等を上記電話帳から検索する場合でも、上記電話帳機能ではユーザの氏名や名称等の五十音順で電話番号や電子メールアドレス等が表示されるため、上記渡航先に在住するユーザの電話番号等の検索も、この表示順序を利用して行う必要があり、検索困難かつ検索に時間を要する問題があった。
【０００５】
このような問題を解決するための技術として、特開２００３−２７３９７３号の公開特許公報（特許文献１）に自端末が位置する国又は地域に応じて、自端末に登録された各種情報を表示可能な携帯情報端末が開示されている。
【０００６】
この携帯情報端末の場合、無線基地局からの回線制御信号により、現在、当該携帯情報端末が位置している国又は地域（滞在国）を判別し、電話帳に登録されているデータの中から、現在の滞在国に対応するユーザのデータを優先的に表示する。これにより、渡航先に在住するユーザの電話番号等が優先的に表示されるため、所望のユーザの電話番号等を短時間かつ簡単に検索可能となっている。
【０００７】
【特許文献１】特開２００３−２７３９７３号公報（第５頁〜第６頁：図３〜図５）
【発明の開示】
【発明が解決しようとする課題】
【０００８】
しかし、この特許文献１に開示されている携帯情報端末の場合、無線基地局からの回線制御信号に含まれるエリア識別情報に基づいて、電話帳に登録されているデータの中から、優先的に表示するユーザのデータを検索しているため、国単位での大まかな検索のみ可能となり、例えば「市」や「町」等の細かな単位の検索に対応できない問題があった。
【０００９】
この問題は、自国で携帯電話機を使用する場合に、より顕著となる。すなわち、一般的には、電話帳に登録されるユーザは、自国のユーザが大半を占めることが多い。このため、携帯電話機を自国で使用する際に所望のユーザの電話番号等を検索すると、国単位での検索が行われて表示されることとなるため、電話帳に登録されている大半のユーザが、この検索で表示されることとなる。これでは、電話帳に登録されているユーザが五十音順に整理されて表示された場合と差程変わりはなく、所望のユーザの電話番号等を検索するには、やはり困難かつ時間を要する。
【００１０】
本発明は、上述の課題に鑑みてなされたものであり、電話帳に登録されているユーザ情報の中から、現在位置に近接して在住するユーザのユーザ情報を、「市」や「町」等の細かな単位で検索してリスト表示可能な近隣ユーザリスト作成プログラム、携帯端末装置及び近隣ユーザリスト作成方法の提供を目的とする。
【課題を解決するための手段】
【００１１】
本発明に係る近隣ユーザリスト作成プログラムは、上述の課題を解決するために、
地理的な範囲に対してそれぞれ割り当てられている地域情報が、該各地理的範囲毎に記憶された地域情報記憶手段から、所定の位置に対応する地域情報を検索する地域情報検索手段としてコンピュータを機能させ、
各ユーザ毎に関連する上記地域情報を含むユーザ情報が記憶されたユーザ情報記憶手段から、コンピュータを上記地域情報検索手段として機能させることで検索された上記地域情報に対応するユーザ情報を有するユーザを検索し、この検索されたユーザのリストである近隣ユーザリストを作成して出力する近隣ユーザリスト作成手段としてコンピュータを機能させる。
【００１２】
また、本発明に係る携帯端末装置は、上述の課題を解決するための手段として、
地理的な範囲に対してそれぞれ割り当てられている地域情報が、該各地理的範囲毎に記憶された地域情報記憶手段と、
各ユーザ毎に関連する上記地域情報を含むユーザ情報が記憶されたユーザ情報記憶手段と、
所定の位置に対応する地域情報を上記地域情報記憶手段から検索する地域情報検索手段と、
上記地域情報検索手段で検索された上記地域情報に基づいて上記ユーザ情報記憶手段を検索することで、該地域情報に対応するユーザ情報を有するユーザを検索し、この検索されたユーザのリストである近隣ユーザリストを作成する近隣ユーザリスト作成手段と、
上記近隣ユーザリスト作成手段で作成された近隣ユーザリストを表示手段に表示する表示制御手段と
を有する。
【００１３】
また、本発明に係る近隣ユーザリスト作成方法は、上述の課題を解決するための手段として、
地理的な範囲に対してそれぞれ割り当てられている地域情報が、該各地理的範囲毎に記憶された地域情報記憶手段から、地域情報検索手段が、所定の位置に対応する地域情報を検索するステップと、
各ユーザ毎に関連する上記地域情報を含むユーザ情報が記憶されたユーザ情報が記憶されたユーザ情報記憶手段から、近隣ユーザリスト作成手段が、上記ステップにおいて上記地域情報検索手段で検索された上記地域情報に対応するユーザ情報を有するユーザを検索し、この検索されたユーザのリストである近隣ユーザリストを作成して出力するステップと
を有する。
【００１４】
このような本発明は、各地理的な範囲に対してそれぞれ割り当てられている例えば市外局番、市内局番、郵便番号等の地域情報が、該各地理的範囲毎に記憶された地域情報記憶手段を有しており、地域情報検索手段が、この地域情報記憶手段から、現在位置検出手段により検出された現在位置、或いは入力手段を介して入力された位置に対応する地域情報を検索する。
【００１５】
また、ユーザが在住する地域やユーザの職場が存在する地域等に対して割り当てられている、例えば電話番号（市外局番、市内局番）や郵便番号等の、上記地域情報を含むユーザ情報が、各ユーザ毎に記憶されたユーザ情報記憶手段を有しており、近隣ユーザリスト作成手段が、このユーザ情報記憶手段から、上記検索された地域情報に対応するユーザ情報を有するユーザを検索し、この検索されたユーザのユーザ情報のリストである近隣ユーザリストを作成する。
【００１６】
これにより、現在位置検出手段により検出された現在位置、或いは入力手段を介して入力された位置に近接する地理的範囲に在住するユーザの近隣ユーザリストを作成することができる。
【発明の効果】
【００１７】
本発明は、例えば市外局番、市内局番、郵便番号等の地域情報を用いて対応するユーザを検索しているため、「市」や「町」等の狭い地理的範囲で検索したユーザリストを作成することができる。
【００１８】
また、現在位置検出手段で検出された現在位置に基づいてユーザリストを作成した場合には、この現在位置に近接する地理的範囲に在住するユーザのユーザリストを作成することができる他、例えばユーザが所望の位置を入力した場合には、この入力した位置に近接する地理的範囲に在住するユーザのユーザリストを作成することができる。
【発明を実施するための最良の形態】
【００１９】
本発明は、例えばＰＤＣ方式（PDC：Personal Digital Cellular）、ＣＤＭＡ方式（CDMA：Code Division Multiple Access）、Ｗ−ＣＤＭＡ方式（W-CDMA：Wideband-Code Division Multiple Access）、或いはＧＳＭ方式（GSM：Global System for Mobile Communications）等の携帯電話機に適用することができる。
【００２０】
［携帯電話機の構成］
この本発明の実施の形態となる携帯電話機は、図１に示すように当該携帯電話機のユーザが契約している通信事業者のネットワークに設けられた基地局との間で、無線的にデータの送受信を行うアンテナ１及び通信回路２と、受話音声，動画ファイルの音声，音楽データの音声、着信音声等を得るためのスピーカ部３と、送話音声等を集音するマイクロホン部４と、待ち受け画像，電話帳（アドレス帳を含む），スケジュール帳、送受信した携帯メールの文章等を表示するための表示部５と、入力操作を行うための複数のキーが設けられた操作部６と、所定の色で点滅や点灯することで電話や携帯メールの発着信等をユーザに知らせる発光部７（LED：Light Emitting Diode）とを有している。
【００２１】
また、この携帯電話機は、ユーザの所望の被写体や当該携帯電話機の周囲の撮像を行うカメラ部８と、電話や携帯メールの発着信等を、当該携帯電話機を振動させることでユーザに知らせるバイブレーションユニット９と、当該携帯電話機に対して脱着可能な外部メモリ１１が装着される外部メモリインターフェイス１０（外部メモリＩＦ）と、当該携帯電話機の現在位置を検出するＧＰＳアンテナ１２（GPS：Global Positioning System）及びＧＰＳユニット１３とを有している。
【００２２】
また、この携帯電話機は、通信処理プログラム（コミュニケーションプログラム）や後述する近隣ユーザリスト作成プログラムの他、各ユーザ毎の電話番号や郵便番号等が登録された上記電話帳、及び地理的な位置や範囲毎に、市外局番や郵便番号等の地域情報が記憶された地域情報テーブル等が記憶されたメモリ１４と、このメモリ１４に記憶されているコミュニケーションプログラムに基づいて当該携帯電話機の通信制御を行う他、近隣ユーザリスト作成モードに移行した際に、このメモリ１４に記憶されている近隣ユーザリスト作成プログラムに基づいて近隣ユーザリストの作成制御を行う制御部１５とを有している。
【００２３】
（電話帳）
上記メモリ１４に記憶されている電話帳には、図２に示すように第１のユーザ〜第ｎのユーザ等の各ユーザの氏名や名称に関連付けされて、そのユーザの「電話番号」、「郵便番号」、「住所」及び「電子メールアドレス」等のユーザ情報が登録されている。
【００２４】
（地域情報テーブル）
上記メモリ１４に記憶されている地域情報テーブルには、図３に示すように地理的な各位置毎（経度，緯度）に、「国名」、「国際電話の国番号」、「市外局番」、「市内局番」、「郵便番号（ポストコード、ジップコード）」、及びその地域で使用されている電子メールの「ドメイン」等の地域情報が記憶されている。
【００２５】
この地域情報テーブルは、メモリ１４に予め記憶されていてもよいし、以下に説明する近隣ユーザリスト作成時に所定のネットワーク上のサイトからダウンロードするようにしてもよい。
【００２６】
［近隣ユーザリスト作成モード］
この携帯電話機の場合、ユーザが指定した位置、或いは当該携帯電話機の現在位置の近くに在住しているユーザを上記電話帳から検索し、リスト化して表示可能となっている。すなわち、ユーザが操作部６を介して該近隣ユーザリストの作成指示操作を行うと、制御部１５がこれを検出して「近隣ユーザリスト作成モード」に移行し、近隣ユーザリストの作成制御を行う。図４のフローチャートに、この近隣ユーザリストの作成動作の流れを示す。
【００２７】
このフローチャートにおいて、まず、ステップＳ１では、制御部１５が、操作部６の操作状況を監視することで、近隣ユーザリストの作成指示がなされた否かを判別しており、近隣ユーザリストの作成指示操作を検出したタイミングで「近隣ユーザリスト作成モード」に移行し処理をステップＳ２に進める。
【００２８】
次に、当該実施の形態の携帯電話機においては、当該携帯電話機の現在位置に対応する近隣ユーザリストの他、ユーザにより入力された所望の位置に対応する近隣ユーザリストを作成可能となっている。このため、制御部１５は、ステップＳ２において、操作部６の操作状況を監視することで、ユーザから手動で位置入力を行う指示がなされたか否かを判別する。そして、操作部６を介してユーザから手動で位置入力を行う指示がなされなかった場合、処理をステップＳ３に進め、操作部６を介してユーザから手動で位置入力を行う指示がなされた場合、処理をステップＳ７に進める。
【００２９】
ステップＳ７では、ユーザが所望の位置の入力を希望しているため、制御部１５は、このユーザによる位置の入力操作の待ち状態となり、ユーザから所望の位置が入力されたタイミングで処理をステップＳ４に進める。
【００３０】
これに対して、ユーザから手動で位置入力を行う指示がない場合、制御部１５はステップＳ３において、当該携帯電話機の現在位置を取得制御する。一例ではあるが、例えば図１に示したように当該携帯電話機にＧＰＳユニット１３が設けられている場合、制御部１５は、このＧＰＳユニット１３を駆動制御し、該ＧＰＳユニット１３で検出された位置情報を当該携帯電話機の現在位置として取り込む。
【００３１】
なお、この例では、ＧＰＳユニット１３で当該携帯電話機の現在位置を検出することとしたが、例えば、基地局の内部に設けられた位置計測ユニットに電波が到達するまでの時間を計測することで、当該携帯電話機の現在位置を検出するＴＤＯＡ（TDOA：Time Difference of Arrival）等の他の現在位置検出技術を用いてもよい。
【００３２】
次に、このようにユーザにより所望の位置が入力され、或いはＧＰＳユニット１３で当該携帯電話機の現在位置が検出されると、制御部１５は、処理をステップＳ４に進め、この入力された位置情報、或いは現在位置情報に基づいて、図３に示す地域情報テーブルを検索し、その位置に対応する「国名」、「国際電話の国番号」、「市外局番」、「市内局番」、「郵便番号」、「その地域で使用されている電子メールのドメイン」を検出する。
【００３３】
一例ではあるが、例えばユーザにより入力された位置、或いは当該携帯電話機の現在位置が、日本国の北海道札幌市中央区大通東を示す位置であった場合、この地域情報テーブルから、「国名＝日本国」、「国際電話の国番号＝８１」、「市外局番＝０１１」、「郵便番号＝０６０−００４１」、「その地域で使用されている電子メールのドメイン＝．ｊｐ」との地域情報が検索されることとなる。
【００３４】
また、ユーザにより入力された位置、或いは当該携帯電話機の現在位置が海外の位置であっても同様であり、この入力された位置、或いは当該携帯電話機の現在位置に応じて、例えば「国名＝アメリカ」、「国際電話の国番号＝１」、「市外局番＝２１２」、「市内局番＝３０７」、「郵便番号＝１００２０−９９９１」、「その地域で使用されている電子メールのドメイン＝．ｃｏｍ」、或いは「国名＝イギリス」、「国際電話の国番号＝４４」、「市外局番＝２０」、「市内局番＝７７３４」、「郵便番号＝ＮＷ１４ＱＰ」、「その地域で使用されている電子メールのドメイン＝．ｕｋ」等の地域情報が上記地域情報テーブルから検出されることとなる。
【００３５】
次に制御部１５は、ステップＳ５において、この地域情報テーブルから検出された地域情報に基づいてメモリ１４に記憶されている電話帳を検索し、この電話帳に登録されているユーザの中から、上記検出された地域情報に対応するユーザを検出する。そして、この地域情報に対応するユーザをリスト化した近隣ユーザリストを作成し、これをステップＳ６において表示部５に表示制御する。
【００３６】
具体的には、制御部１５は、地域情報テーブルから地域情報が検出されると、この地域情報として検出された市外局番及び市内局番を含む電話番号を有するユーザ、上記地域情報として検出された郵便番号と同じ郵便番号を有するユーザを上記電話帳から検出し、この検出されたユーザをリスト化した近隣ユーザリストを作成し、これを表示部５に表示制御する。
【００３７】
市外局番は各「市」等の地理的に中規模の範囲で割り当てられており、市内局番はその「市」等の地理的に中規模の範囲をさらに分割した小規模の範囲に割り当てられており、また、郵便番号は「町」等の地理的に小規模の範囲で割り当てられている。このため、市外局番及び郵便番号に基づいて電話帳の検索を行うことで、ユーザにより入力された位置、或いは当該携帯電話機の現在位置から中規模の地理的範囲内に在住しているユーザ、及び当該携帯電話機の現在位置から小規模の地理的範囲内に在住しているユーザを電話帳から検索してリスト化することができる。
【００３８】
なお、電話帳の検索を行う際に、上記地域情報として検出されたドメインを含む電子メールアドレスを有するユーザを検出してもよい。この場合、国単位での検索が行われることとなる。
【００３９】
また、検索された地域情報のうち、市外局番のみを用いて電話帳の検索を行うか、郵便番号のみを用いて電話帳の検索を行うか、或いは市外局番及び市内局番を用いて電話帳の検索を行うか、さらには、市外局番、市内局番及び郵便番号を用いて電話帳の検索を行うかをユーザが選択できるようにしてもよい。これにより、市外局番を用いて電話帳の検索を行った場合には、上記「市」単位での地理的に中規模の範囲で近接ユーザリストが作成されることとなり、また、郵便番号を用いて電話帳の検索を行った場合には、上記「町」単位での地理的に小規模の範囲で近接ユーザリストが作成されることとなる。
【００４０】
また、市外局番及び市内局番を用いて電話帳の検索を行った場合、及び市外局番、市内局番及び郵便番号を用いて電話帳の検索を行った場合には、上記「市」単位よりもさらに狭い地理的範囲で近接ユーザリストが作成されることとなる。
【００４１】
［実施の形態の効果］
以上の説明から明らかなように、この実施の形態の携帯電話機は、各ユーザの電話番号及び郵便番号等のユーザ情報が記憶された電話帳と、地理的な各位置に対応する市外局番、市内局番、郵便番号等の地域情報が記憶された地域情報テーブルをメモリ１４に記憶しておく。そして、ユーザにより入力された位置、或いは当該携帯電話機の現在位置に対応する市外局番、市内局番及び（又は）郵便番号を地域情報テーブルから検索し、この地域情報テーブルから検索された市外局番、市内局番及び（又は）郵便番号を有するユーザを電話帳から検索し、これをリスト化して表示する。
【００４２】
これにより、市外局番、市内局番及び（又は）郵便番号に基づく、地理的に中規模或いは小規模の範囲で近接ユーザリストを作成して表示することができる。また、近接ユーザリストの作成は、当該携帯電話機の現在位置に基づいて行うか、或いはユーザが指定した位置に基づいて行うかを選択可能となっているため、当該携帯電話機の現在位置に近接して在住しているユーザの近接ユーザリストの他、ユーザが希望する地理的な位置に近接して在住しているユーザの近接ユーザリストも作成可能とすることができる。
【００４３】
［変形例］
上述の実施の形態の説明では、本発明を携帯電話機に適用することとしたが、本発明は、この他、ＰＨＳ電話機（Personal Handyphone System），無線通信機能を有するＰＤＡ装置（Personal Digital Assistant）、或いは無線通信機能を有するノート型のパーソナルコンピュータ装置等の他の携帯端末装置に適用してもよい。
【００４４】
最後に、上述の実施の形態は本発明の一例である。このため、本発明は、上述の実施の形態に限定されることはなく、該実施の形態以外であっても、本発明に係る技術的思想を逸脱しない範囲であれば、設計等に応じて種々の変更が可能であることは勿論であることを付け加えておく。
【図面の簡単な説明】
【００４５】
【図１】本発明を適用した実施の形態となる携帯電話機のブロック図である。
【図２】実施の形態の携帯電話機に設けられている電話帳の模式図である。
【図３】実施の形態の携帯電話機に設けられている地域情報テーブルの模式図である。
【図４】実施の形態の携帯電話機の近隣ユーザリストの作成動作を説明するためのフローチャートである。
【符号の説明】
【００４６】
１  アンテナ、２  通信回路、３  スピーカ部、４  マイクロホン部、５  表示部、６  操作部、７  発光部（ＬＥＤ）、８  カメラ部、９  バイブレーションユニット、１０  外部メモリインターフェイス、１１  外部メモリ、１２  ＧＰＳユニットのアンテナ、１３  ＧＰＳユニット、１４  メモリ、１５  制御部
【図１】
2006262332.tif 000003
【図２】
2006262332.tif 000004
【図３】
2006262332.tif 000005
【図４】
2006262332.tif 000006